(57)【要約】      （修正有）【課題】人体に対する加温効果と微量放射線のホルミシス効果を同時に与え、健康を維持する健康腕輪を提供する。【解決手段】健康腕輪１は、微量放射線放射物質を含有した不織布１０を用いて形成されており、手首に装着できるように構成されている。微量放射線含有不織布は、ホルミシス効果を有する天然鉱石を含有しており、ホルミシス効果が健康を維持するような働きをする。また、微量放射線含有不織布の表面にコミュニケーション用表示２０が表示されており、この表示により共通のコミュニケーションツールとしての拡販が可能となるほか、会員・住民のコミュニケーション意識の向上を図ることができる。【選択図】図２
0003195330.tif 000002
【実用新案登録請求の範囲】
【請求項１】
不織布を用いて手首に装着するように形成された健康腕輪であって、
前記不織布は、微量放射線放射物質を含有していることを特徴とする健康腕輪。
【請求項２】
前記微量放射線放射物質は、ホルミシス効果を有する天然鉱石であることを特徴とする請求項１に記載の健康腕輪。
【請求項３】
前記不織布には、コミュニケーション用表示が表示されていることを特徴とする請求項１又は請求項２に記載の健康腕輪。
【請求項４】
前記コミュニケーション用表示は、名称、ロゴ、又は、ロゴと画像を用いて表示されていることを特徴とする請求項３に記載の健康腕輪。
【請求項５】
前記不織布は、本体部と、一方の端部と、他方の端部とを有し、
前記一方の端部と前記他方の端部は、接着及び脱着可能となるように形成され、
前記本体部に前記コミュニケーション用表示が表示されていることを特徴とする請求項３又は請求項４に記載の健康腕輪。
【考案の詳細な説明】
【技術分野】
【０００１】
本考案は、健康腕輪に関する。
【背景技術】
【０００２】
健康保持、健康促進などのためにホルミシス効果を有する布団及び毛布が開示されている。ホルミシス効果とは、ラジウム泉及び遠赤外線と同様の効果を有する微量放射線ホルミシスを身体に取り入れ、抗酸化、免疫力アップなどによる健康維持を期待するものである。このようなホルミシス効果を有する布団及び毛布は、通常の布団及び毛布を改良したものである（特許文献１参照）。
【０００３】
放射線は、大量に浴びると放射線障害を起こすなど体に害があるが、ラジウム、トリウムなどの天然放射線の場合、一定量を越さない微量放射線においては害がなく、逆に上述したような効果を有する。医療においては、微量放射線ホルミシスを用いた治療効果の研究が行われている。
【先行技術文献】
【特許文献】
【０００４】
【特許文献１】実用新案登録第３１２４９７８号
【考案の概要】
【考案が解決しようとする課題】
【０００５】
特許文献１には健康保持、健康促進を目的としたホルミシス効果を有する布団及び毛布が開示されているが、布団や毛布は常時身に着けることはできず、ホルミシス効果を得るためには、布団やベッドがある場所で横になる必要がある。
【０００６】
また、布団や毛布は販売価格や購入頻度の関係上、販売数量に限界があり、  ホルミシス効果を有する商品の拡販のためには、名称、ロゴなどを付けて共通のコミュニケーションツールとして活用できる商品としての開発が期待されていた。
【０００７】
本考案は、こうした点に鑑みてなされたものであり、手軽に身体に装着することにより必要に応じて加温効果及びホルミシス効果を得ることができ、コミュニケーションツールとして広く頒布可能な健康腕輪を提供することを課題とする。
【課題を解決するための手段】
【０００８】
上記課題を解決するために、本考案に係る健康腕輪は、不織布を用いて手首に装着するように形成され、前記不織布は、微量放射線放射物質を含有していることを特徴とする。
【０００９】
本考案に係る健康腕輪の態様について、前記微量放射線放射物質は、ホルミシス効果を有する天然鉱石であることが好ましい。
【００１０】
本考案に係る健康腕輪の態様について、前記不織布を包む布地には、コミュニケーション用表示が表示されていることが好ましい。
【００１１】
本考案に係る健康腕輪の態様について、前記コミュニケーション用表示は、名称、ロゴ、又は、ロゴと画像を用いて表示されていることが好ましい。
【００１２】
本考案に係る健康腕輪の態様について、前記不織布は、本体部と、一方の端部と、他方の端部とを有し、前記一方の端部と前記他方の端部は、接着及び脱着可能となるように形成され、前記本体部に前記コミュニケーション用表示が表示されていることが好ましい。
【考案の効果】
【００１３】
本考案の健康腕輪によれば、不織布を手首に装着するだけで、必要に応じて加温効果と微量放射線のホルミシス効果を同時に得ることができ、健康を維持することができる。
【００１４】
また、本考案の健康腕輪によれば、ホルミシス効果を有する不織布に、名称、ロゴ等を表示することにより、共通のコミュニケーションツールとしての拡販が期待でき、また、会員・住民のコミュニケーション意識の向上と強化を図ることができる。
【図面の簡単な説明】
【００１５】
【図１】心身健康“美”ＵＰリングの一例を示す模式図である。
【図２】図１に示す心身健康“美”ＵＰリングが手首に装着されている模式図である。
【図３】ロゴと画像を有する心身健康“美”ＵＰリングが手首に装着されている一例を示す模式図である。
【図４】ホルミシス効果を有しない例を示す模式図である。
【図５】ホルミシス効果を有している例を示す模式図である。
【考案を実施するための形態】
【００１６】
以下、本考案に係る実施形態を、図１から図５を用いて説明する。
本実施形態に係る健康腕輪は、単に健康維持を目的として装着する腕輪というだけではなく、この健康腕輪をコミュニケーションツールとして頒布することによって、地方活性化などを推進できるように「心身健康“美”ＵＰリング」という名称を使用している。
【００１７】
図１は、本実施形態の心身健康“美”ＵＰリング１を示す模式図である。図１に示す健康腕輪の一例としての心身健康“美”ＵＰリング１は、微量放射線放射物質を含有した不織布である微量放射線含有不織布１０を用いて形成され、手首に装着することができる構成になっている。
【００１８】
微量放射線含有不織布１０は、上記のとおり、微量放射線放射物質を含有している。この微量放射線放射物質は、例えば、ホルミシス効果を有する天然鉱石を粉末状、粒状などに加工したものである。
【００１９】
微量放射線含有不織布１０は、表面にコミュニケーション用表示２０が表示できるような構成となっている。すなわち、微量放射線含有不織布１０の表面にコミュニケーション用表示２０の例示である名称２０ａ、ロゴ２０ｂ、ロゴ２０ｂと画像２０ｃなどを表示することで、心身健康“美”ＵＰリング１が、地域活性化などのコミュニケーションツールとしての機能を有することになる。
【００２０】
図１に示すように、微量放射線含有不織布１０は、本体部１０ａと、一方の端部１０ｂと、他方の端部１０ｃと、枠部１０ｄとを有している。
【００２１】
本体部１０ａは、上述のコミュニケーション用表示２０を表示することができる領域であり、該表示の大きさに対応するように形成されている。図１に示す例では、コミュニケーション用表示２０は、名称２０ａであり、具体的には「Pegasus Hane」という表示が、微量放射線含有不織布１０に刺繍されている。
【００２２】
一方の端部１０ｂと他方の端部１０ｃは、例えば、面ファスナー、留め具などを用いて接着及び脱着可能となるように形成されている。なお、心身健康“美”ＵＰリング１は、実施形態において一方の端部１０ｂと他方の端部１０ｃを有する構成であるが、これに限定されず、例えば、端部を有さず伸縮可能な構成にすることにより手首に装着できるようにしてもよい。
【００２３】
枠部１０ｄは、実施形態において装飾が設けられているが、このような装飾は必須の構成ではなく、枠部１０ｄにおいて装飾を有しない構成であってもよい。  上述のとおり、本体部１０ａには、コミュニケーション用表示２０の例示として、名称２０ａ、ロゴ２０ｂ、ロゴ２０ｂと画像２０ｃなどを表示することができる。
【００２４】
図２及び図３は、コミュニケーション用表示２０を有する心身健康“美”ＵＰリング１が手首に装着された例を示す模式図であり、このような状態において、心身健康“美”ＵＰリング１からのホルミシス効果により健康を維持する働きが期待できる。
【００２５】
図２は微量放射線含有不織布１０に刺繍「Pegasus Hane」が施されているものを示し、図３は、ロゴ２０ｂと画像２０ｃが表示として施されているものを示す。これらの文字刺繍、ロゴ、画像等により、心身健康“美”ＵＰリング１は共通のコミュニケーションツールとなり、コミュニケーション意識の向上と強化を図ることができる。
【００２６】
次に、図４及び図５を用いてホルミシス効果について説明する。
図４は、ホルミシス効果を有していない場合の手の甲の温度Ｔ１を示している。また、図５は、ホルミシス効果を有している手の甲の温度Ｔ２を示している。なお、図５に示すホルミシス効果は、微量放射線の照射が約３分間にわたり行われたときのものである。
【００２７】
図４に示すように手の甲はグレーで表示されているが、薄いグレーである。このことは図４に示す手の甲の温度Ｔ１が低いことを示している。
【００２８】
一方、図５に示す手の甲もグレーで示されているが、図４に示す手の甲のグレーと比較して濃いグレーである。すなわち、図５に示す手の甲の温度Ｔ２は、図４に示す手の甲の温度Ｔ１より高いことを示している。このように、ホルミシス効果により健康の維持を期待することができる。
【００２９】
上記のような特徴を有する本考案の心身健康“美”ＵＰリング１を用いることにより、例えば、町おこしを行うことができる。すなわち、この心身健康“美”ＵＰリング１は、在宅縫製業務（就労支援）、リング販売促進（スパ売上収入）、購入特典などの支援に用いることで町おこしに貢献することができる。
【００３０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。特に、不織布の大きさや形状、素材の厚さ、及び微量放射線含有物質の含有量などについては様々の実施形態が可能であり、それらについて本実施形態と異なる形態又は方法による実施は、本考案の技術的範囲に含まれるものと解する。
【符号の説明】
【００３１】
１      心身健康“美”ＵＰリング
１０    微量放射線含有不織布
１０ａ  本体部
１０ｂ  一方の端部
１０ｃ  他方の端部
１０ｄ  枠部
２０    コミュニケーション用表示
２０ａ  名称
２０ｂ  ロゴ
２０ｃ  画像
Ｔ１，Ｔ２  温度
【図１】
0003195330.tif 000003
【図２】
0003195330.tif 000004
【図３】
0003195330.tif 000005
【図４】
0003195330.tif 000006
【図５】
0003195330.tif 000007